(57)【要約】【課題】所望の自立した形状を形成し保持することが可能なフレキシブル面状発光装置とそれを用いた菓子器や花器等の光る器を提供する。【解決手段】フレキシブル面状発光装置は、純度９７ｗｔ％以上９９．９ｗｔ％以下の金属錫からなる厚さ０．５ｍｍ以上３．０ｍｍ以下の可撓性金属シートと、樹脂シート基板を用いてなる厚さ１．０ｍｍ以下のフレキシブル面状発光シートの非発光面とが貼り合わされた構成であり、任意の容器形状に変形して用いられる。【選択図】図１０
2020135982.tif 000002
【特許請求の範囲】
【請求項１】
純度９７ｗｔ％以上９９．９ｗｔ％以下の金属錫からなる厚さ０．５ｍｍ以上３．０ｍｍ以下の可撓性金属シートと、樹脂シート基板を用いてなる厚さ１．０ｍｍ以下のフレキシブル面状発光シートの非発光面とが貼り合わされた構成であることを特徴とするフレキシブル面状発光装置。
【請求項２】
フレキシブル面状発光シートの発光面の少なくとも一部を覆って光拡散透過性シートまたはステンシルシートの少なくとも片方が貼り合わされた構成であることを特徴とする請求項１記載のフレキシブル面状発光装置。
【請求項３】
請求項１または２に記載のフレキシブル面状発光シートの発光面を内側にしてコーン状に丸められた構成であることを特徴とする容器。
【請求項４】
請求項１または２に記載のフレキシブル面状発光シートの発光面側を凹状に変形して、可撓性金属シート側を凸状に変形してなる構成であることを特徴とする容器。
【発明の詳細な説明】
【技術分野】
【０００１】
本発明は、自立した安定形状を維持しかつ使用者自らが所望のデザイン形状に自在にその形状を変えられるフレキシブル面状発光装置およびそれを用いた菓子器や花器等の光る器に関する。
【背景技術】
【０００２】
フレキシブル面状発光シートは、点状の光源と異なり局所的に高輝度でないため、目に優しい柔らかい光を提供することができる。
【０００３】
フレキシブル面状発光シートの例としては、無機発光材料を含む発光層を樹脂基板上に形成した無機分散型ＥＬシートがセイコークロック社等により製造されているが（特許文献１参照）、近年では樹脂基板を用いたフレキシブル有機ＥＬシートがＬＧ  Ｄｉｓｐｌａｙ社やコニカミノルタパイオニアＯＬＥＤ社等で製造されている。また多数のマイクロサイズのＬＥＤを樹脂シート上に密に配列し発光させるマイクロＬＥＤシート（米ロヒンニ社やＮｔｈ  Ｄｅｇｒｅｅ社等が製造）も開発されつつある。
【０００４】
それらのフレキシブル面状発光シートは、決まったデザイン形状に賦形されたアルミ板等に貼りつけられ、固定された器具として使用されるため、フレキシブル面状発光シートが自由な形状に曲げられても器具の形状は固定化される。
【０００５】
また、面状発光シートのまま照明として使用する場合は、繰り返しの曲げが可能であるが、所望の自立した安定形状に保持することは困難であった。例えば、夜の茶会の夜咄の際には蝋燭が使用されていたが、公共施設の茶室では安全上火気厳禁の茶室が増え蝋燭が使用できなくなり、茶室の和の雰囲気を壊さず花や菓子を照明し引き立たせることができる電気による照明装置や器等の什器が望まれている。
【０００６】
従来のフレキシブル面状発光シートは変形させた形状を保持できず、かつ樹脂製の表面質感が安価な工業製品をイメージさせ、手工芸品が好まれる古風な和空間である茶室には合わなかった。また菓子器として用いた場合には菓子の種類や量や亭主好みの形状に自由に変形させることができなかった。また花器として用いた場合には花の種類や大きさに合わせて器の開口等の寸法やデザインを変え形状を変え亭主好みの形状に変形させ保持することができなかった。
【０００７】
指や手で簡便に形状変更が可能な金属製器に関しては、特許文献２に記載されるような錫合金性容器が市販されている。他方で、発光体を付加することにより、盛りつけられる食品に対して装飾性を与えると共に意外性を与えることを目的とする食品装飾皿として、特許文献３による提案が公知である。しかしながら、発光による照明機能および装飾効果と、形状変更による使用形態，用途の多様化にも寄与しうるデザイン性に加えて、意外性と装飾性を兼ね備え、アミューズメント性の向上が図られた光る器や花器に係る報告例は見られていない。
【先行技術文献】
【特許文献】
【０００８】
【特許文献１】特開２００８−８４６３９号公報
【特許文献２】特開２００６−１６６８１号公報
【特許文献３】特開２００５−１４４０１１号公報
【発明の概要】
【発明が解決しようとする課題】
【０００９】
上記のような事情に鑑み、本発明では、所望の自立した形状を形成し保持することが可能なフレキシブル面状発光装置とそれを用いた菓子器や花器等の光る器を提供することを目的とする。
【課題を解決するための手段】
【００１０】
本発明の一態様によるフレキシブル面状発光装置は、
純度９７ｗｔ％以上９９．９ｗｔ％以下の金属錫からなる厚さ０．５ｍｍ以上３．０ｍｍ以下の可撓性金属シートと、樹脂シート基板を用いてなる厚さ１．０ｍｍ以下のフレキシブル面状発光シートの非発光面とが貼り合わされた構成であることを特徴とする。
【００１１】
本発明の別態様によるフレキシブル面状発光装置は、
フレキシブル面状発光シートの発光面の少なくとも一部を覆って光拡散透過性シートまたはステンシルシートの少なくとも片方が貼り合わされた構成であることを特徴とする。
【００１２】
本発明の一態様による容器は、
請求項１または２に記載のフレキシブル面状発光シートの発光面を内側にしてコーン状に丸められた構成であることを特徴とする。
【００１３】
本発明の別態様による容器は、
請求項１または２に記載のフレキシブル面状発光シートの発光面側を凹状に変形して、可撓性金属シート側を凸状に変形してなる構成であることを特徴とする。
【発明の効果】
【００１４】
本発明により、所望の自立した形状を形成し保持することが可能なフレキシブル面状発光装置とそれを用いた菓子器や花器等の光る器が提供される。本発明による器では、夜咄の茶会での照明として使えるだけでなく、菓子器として用いる場合には菓子の種類や量、季節に合わせた形状の器に変形させ形状を保持することができ、また花器として用いる場合には花の種類や大きさに合わせて器の開口等の寸法を変え形状を保持することができ、近年火気厳禁の茶室においても和の空間の雰囲気を壊さず花や菓子を照明し引き立たせることができる安全な照明装置や什器を提供することができるようになる。
【図面の簡単な説明】
【００１５】
【図１】本発明のフレキシブル面状発光装置の一態様を説明する模式図。
【図２】本発明のフレキシブル面状発光装置の構成を説明する模式図。
【図３】本発明のフレキシブル面状発光装置の一態様を説明する模式図。
【図４】本発明の光る器の一態様を説明する模式図。
【図５】本発明の光る菓子器の一態様を説明する模式図。
【図６】本発明の一態様による光る菓子器の断面構成を説明する模式図。
【図７】本発明の一態様による光る花器の構成を説明する模式図。
【図８】本発明の一態様による光る花器を説明する模式図。
【図９】本発明の一態様による光る花器を透明な台に立てた写真。
【図１０】本発明の一態様による光る花器を透明な台に立てた写真。
【発明を実施するための形態】
【００１６】
本発明によるフレキシブル面状発光装置（および光る容器）では、純度９７ｗｔ％以上９９．９ｗｔ％以下の金属錫からなる厚さ０．５ｍｍ以上３．０ｍｍ以下の可撓性金属シートをフレキシブル面状発光装置の形状を規定する基材として所望の形状に変形させると共に、その形状を保持するために使用する。
＜可撓性金属シート＞
錫純度が９７ｗｔ％未満の合金は硬く曲げ難く、９９．９ｗｔ％より高純度では柔らかくなり形状の保持が困難になる。鍛造により薄板化した金属シートは曲げた際に折り目がつき難くなり、繰り返し曲げた際に切れ難くなる特性を有するため、本発明で採用する金属錫の可撓性金属シートとしては、鍛造した製造品が好適である。
【００１７】
フレキシブル面状発光装置を所望形状、とりわけ容器形状に変形させ、その形状を維持した状態で使用する上で望まれる可撓性金属シートの特性について説明する。
【００１８】
可撓性金属シートは厚さ０．５ｍｍ未満では強度が足りず、曲げた形状を保持できない。さらに自重で変形してしまう場合があり、３．０ｍｍより厚いと強度が高くなり手で曲げ難くなる。そのため、厚さ０．５ｍｍ以上３．０ｍｍ以下の可撓性金属シートを用いることが望ましい。
【００１９】
可撓性金属シートの市販品としてはシマタニ昇龍工房製の商品名「すずがみ(登録商標）」等が好適であり、正方形のシートから好みの形状に切断して好ましく用いることができる。
＜フレキシブル面状発光シート＞
次に本発明で使用できるフレキシブル面状発光シートについて説明する。本発明で使用できるフレキシブル面状発光シートのタイプには、無機分散型ＥＬシート、有機ＥＬシート、マイクロＬＥＤシート等がある。
【００２０】
無機分散型ＥＬシートは、透明電極を形成したフレキシブルな透明樹脂シート上に無機発光体粉末を高誘電率バインダー樹脂に分散させ塗布し数１０μｍの厚さで発光層を形成した透明電極シートと、無機高誘電体粉末を高誘電率バインダー樹脂に分散させ塗布し数１０μｍの厚さで絶縁層を形成したアルミ箔等の対極シートとを貼り合わせて形成した構造のフレキシブル発光シートである。粉体を用いているので光拡散性に優れ見る角度により発光色が変化しない特性を有する。主に硫化亜鉛系蛍光体を発光材料に用い青緑色の発光が得られる他、ローダミン系等の赤色蛍光色素を発光層に混合し蛍光エネルギー変換により白色発光させることもできる。しかし非点灯時には赤色蛍光色素のピンク色に見えるため、意匠的に問題となる場合は表面に光拡散透過性シートを積層することが望まれる。無機分散型ＥＬシートは、数１０Ｈｚから数ｋＨｚの周波数および数１０Ｖ以上の電圧により発光層中の蛍光体を電界励起することにより発光させることができる。輝度は数ｃｄ／ｍ2から数百ｃｄ／ｍ2が得られる。発光体自体に防湿コートをすることが可能なため、厳重な封止をせずとも良く、薄く可撓性の高いフレキシブル面状発光シートとすることができる利点がある。
【００２１】
有機ＥＬシートはフレキシブルな透明樹脂製基板上に透明電極層を形成したシート上に少なくとも正孔輸送層、有機発光層、電子輸送層、陰極の順に形成された構造を有する有機発光ダイオード（ＯＬＥＤと略）のシートである。有機発光層に電子輸送性発光層を用いた場合には電子輸送層を省くこともできる。数Ｖの直流低電圧で数１００〜数万ｃｄ／ｍ2の高輝度発光が可能である。発光色は有機発光材料の種類により青〜赤の所望の発光が可能であり、さらに青と黄色、または赤、青、緑の発光ユニットを積層または平面上に各色を配列したマトリクスとすることで白色発光も可能になる。目に優しいフレキシブル面状発光シートとすることができる。ＯＬＥＤは電子注入性に優れた低仕事関数の金属を陰極に用いるため高性能なバリアフィルムによる厳重な封止が必要になる。また有機層の厚さは１μｍ以下であり光学干渉により見る角度により発光色が変わることがあるため光拡散透過性シートを表面に積層することが望ましい。
【００２２】
また通常の有機ＥＬシートの有機発光層には、低分子材料または高分子材料からなる有機蛍光材料、有機遅延蛍光材料、リン光材料等の有機発光材料が用いられるが、有機発光
材料の代わりに量子ドット発光材料を用いることもできる。発光層に量子ドット発光材料を用いた発光素子は量子ドット発光ダイオード（ＱＬＥＤと略）と呼ばれる。量子ドットの例としてはＣｄＳｅ系、ＩｎＰ系、ペロブスカイト系等の無機量子ドット発光材料、またはグラフェンシートやカーボンナノチューブから切り出された発光性グラフェン量子ドット材料、または果糖、ブドウ糖等の糖類またはシステイン等のアミノ酸類やクエン酸、葉酸等の有機酸類等を原料に用いて水熱合成法等によりボトムアップ法で作られた発光性カーボンドット材料等がある。
【００２３】
マイクロＬＥＤシートとはフレキシブルな樹脂製配線基板シート上に１ｍｍ未満のマイクロサイズのＬＥＤチップを高密度で実装したフレキシブルな発光シートである。赤、青、緑のＬＥＤチップを近接して配列して白色発光シートとしたものや、青色ＬＥＤチップのみを配列したシート上に蛍光変換フィルターを形成し青色光の一部を緑と赤の発光成分に変換することで白色発光シートも可能である。
【００２４】
マイクロＬＥＤシートはフレキシブル配線シート基板上にマイクロＬＥＤチップを高速マウンターでマウントして製造したマイクロＬＥＤシートの他、マイクロＬＥＤチップを含むインクを配線基板シート上にインクジェット法やノズルプリント法等の方法で印刷した印刷マイクロＬＥＤシートもある。
【００２５】
マイクロＬＥＤシートは高輝度で長寿命であるが、ＬＥＤチップ間の間隔が離れているためドット状に輝度が高く発光しているように見え易く、面内全体で輝度分布が一様となる均一性の高い発光を得るためには表面に光拡散透過性シートを積層することが望ましい。
【００２６】
以下、図面を用いて実施態様を説明する。
【００２７】
図１に示すように可撓性金属シート（１）と、厚さ１．０ｍｍ以下のフレキシブル面状発光シート（２）の非発光面とを貼り合わせる。厚さが１．０ｍｍ以上あるフレキシブル面状発光シートを使用すると積層したシート全体の剛性が強くなるため、曲率半径１ｃｍ以下に曲げ難くなる。
【００２８】
さらに光拡散透過性シート（３）をフレキシブル面状発光シート（２）の発光面上に貼りあわせる。貼り合わせの際には強力な接着剤または接着シートや両面テープを使い全面またはライン状またはスポット状に接着し貼り合わせることも可能だが、フレキシブル面状発光シート（２）の劣化や光拡散透過性シート（３）のデザイン変更等のためにシートの剥離が予想される場合にはシリコーン樹脂、アクリル樹脂、ポリウレタン樹脂等から選ばれた可撓性の粘着樹脂接着剤、または接着シートや両面テープまたは剥離可能な仮接着樹脂（セメダインＢＢＸ等）を用いてライン状またはスポット状に粘着させ貼り合わせることが望ましい。
【００２９】
フレキシブル面状発光シート（２）や光拡散透過性シート（３）の大きさは、可撓性金属シート（１）の外形よりも一部が大きい場合も小さい場合も可能であるが、菓子器に使う場合は可撓性金属シート（１）の外形に収まっている方が強度的に使い良く、花器に使う場合は一部が小さくても良いし、大きくても良い。
【００３０】
また、図２に示す一態様によるフレキシブル面状発光装置（５）では、フレキシブル面状発光装置の発光面の少なくとも一部を覆ってステンシルシート（４）の少なくとも一方が貼り合わされ、その上に光拡散透過性シート（３）が貼りあわされている構成である。
【００３１】
ここで光拡散透過性シート（３）は、和紙等の光拡散透過性の薄紙、光拡散透過性の発
泡樹脂シートや繊維を含む発泡樹脂シート、光拡散透過性の不織布シート、石灰石等の石粉と樹脂からなる光拡散透過性のストーンペーパーを単独または積層または押し花や葉、葉脈標本、切り絵などと複合して用いることができる。
【００３２】
光拡散透過性シートの全光線透過率はＪＩＳ  Ｋ７１０５「プラスチックの光学的特性試験方法」による測定方法で少なくとも２％以上あることが望ましく、より好ましくは２５％以上が好ましい。ヘイズ値は８０％以上であることが望ましい。全光線透過率が２％未満ではフレキシブル面状発光シートの発光が透過し難く暗くなる。またヘイズ値が８０％未満であるとフレキシブル面状発光シートの発光パターンや発光領域と非発光領域の際目が透けて見え易くなり好ましくない。また光拡散透過性シートの厚さは屈曲性から０．０１ｍｍ以上１．１ｍｍ以下が望ましい。０．０１ｍｍ未満では下地が透けて見えやすく、１．２ｍｍ以上では曲げ難く折れ目が付く場合がある。
【００３３】
ステンシルシート（４）は、漆やカシュー、カーボンブラック等の光吸収材料を含む紙や樹脂シート等からなる遮光シートに、蓮花、ホタルの光、団扇、金魚、落ち葉、月、すすき、雪の結晶等の季節の風物を表す模様や唐草模様等の幾何学模様およびそれらの組み合わせからなる光透過模様を形成する穴がフレキシブル面状発光シート（２）の発光範囲上に形成されて、発光部の形状（パターン）を規定する。本発明で用いるステンシルシートの遮光部の全光線透過率はＪＩＳ  Ｋ７１０５「プラスチックの光学的特性試験方法」による測定方法で５０％未満であり、光透過部とのコントラストを出すためにはより好ましくは１０％以下であり、さらに好ましくは１％以下である。
【００３４】
ステンシルシート（４）は図３に示すように最表面に形成することもできるが、ステンシルシート（４）を光拡散透過性シート（３）とフレキシブル面状発光シート（２）の発光面との間に配置すると点滅駆動させた場合に発光時に初めてステンシルシートに形成した光透過模様（６）が浮き出るようにできるため意匠性が高まる。
【００３５】
図４は、図２に示すフレキシブル面状発光装置（５）の四辺を手で曲げ、容器の形態に成形した一態様を示す。フレキシブル面状発光シート（３）の発光面側を凹状に変形して、可撓性金属シート（１）側を凸状に変形して、内容物（菓子など）を収納できる光る器（７）としている。図４において、電力供給線の図示は省略する。
【００３６】
図５は、図３に示すフレキシブル面状発光装置（５）を波型に曲げ、皿状の形態である容器（７）に成形した一例を示す。図６に、菓子８を載せて使用される状態の菓子器用の光る器（７）の断面図を示す。図５，６において、電力供給線の図示は省略する。
【００３７】
図７は、図２に示すフレキシブル面状発光シート（３）の発光面を内側にしてフレキシブル面状発光装置（５）をコーン状に丸められた構成の容器（１２）を示す説明図である。コーン状に丸めることで形成された空間部に内容物の収納スペースが出来る。図８に示すように、花卉（１３）を包み込むことが出来ると共に、電力供給制御装置（１１）および電力供給線（１０）を通じて供給される電力による発光にて外側の可撓性金属シート（１）の内部から照明光が発散し、花卉（１３）をライトアップすることで、従来に無い魅力的な花器としての使用が可能となる。
【実施例】
【００３８】
＜実施例１＞
可撓性金属シートとしてシマタニ昇龍工房製「すずがみ（登録商標）」（２４ｃｍ角、約０．８ｍｍ厚）、フレキシブル面状発光シートとして可撓性金属シートより小さい面積のタツモ社製無機分散型白色ＥＬシート（発光領域２１ｃｍ×１５ｃｍ）を両面粘着テープで貼り付けてなる構成のフレキシブル面状発光装置を作製した。
【００３９】
上記のフレキシブル面状発光シートの発光面を内側にしてフレキシブル面状発光装置）をコーン状に丸め、端部を花弁状に曲げて、図７，８に示す形状の容器（花器）を作製した。図９に示す写真では、電力供給手段を通じてフレキシブル面状発光装置を発光させた状態を示す。コーン状の可撓性金属シート端部を花弁のように外側に弓状に開いた形など所望の形に形成することにより、手工芸の手造り感が高いデザイン照明を実現することができる。
【００４０】
花器として使う場合はコーン型のフレキシブル面状発光装置の内部空間に剣山や試験管状の花瓶が内蔵されていても良い。
【００４１】
本発明のフレキシブル面状発光装置への電力供給は、コーン状に形成されたフレキシブル面状発光装置および光る花器（１２）の場合は窄まった側の開口部から電力供給線（１０）を取り出すか、皿の形状の場合は底面にシートコイルを貼り付け無線給電とすることもできる。また本発明のフレキシブル面状発光装置内にフレキシブルなリチウムポリマー電池シート等を可撓性金属シート（１）とフレキシブル面状発光シート（２）間に積層することで電池内蔵型とすることもできる。
【００４２】
また電力供給制御装置（１１）により供給する電圧、電流、周波数をプログラム制御することで、連続発光、点滅発光を選べる他、発光点滅周期、発光強度、発光点滅周期、消灯時間を揺らがせた点滅発光をさせ自然の風による蝋燭の揺らぎやホタルの発光を再現することもできる。
＜実施例２＞
実施例１で作製したフレキシブル面状発光装置からなる容器の内面に積水化成品工業製厚さ１．０ｍｍ、Ａ４サイズの発泡ポリスチレンシート（ＪＩＳ  Ｋ７１０５の方法でＮＩＰＰＯＮ  ＤＥＮＳＹＯＫＵ製ＮＤＨ２０００ヘイズメーターで測定したヘイズ値は９２％、全光線透過率は３０％、拡散透過率は２７．５％）を光拡散透過性シートとして両面粘着テープで貼り合わせて、インテリア向け照明装置としての使用形態に適用した。（図１０写真）光拡散透過性シートにより柔らかい光が全体的に拡散し、花卉を挿して使用しても、デザイン性の高い照明装置として相応しく用いることができる。
【符号の説明】
【００４３】
１  可撓性金属シート
２  フレキシブル面状発光シート
３  光拡散透過性シート
４  ステンシルシート
５  フレキシブル面状発光装置
６  ステンシルシートによる光透過模様
７  容器
８  菓子
１０  電力供給線
１１  電力供給制御装置
１２  花器
１３  花卉
【図１】
2020135982.tif 000003
【図２】
2020135982.tif 000004
【図３】
2020135982.tif 000005
【図４】
2020135982.tif 000006
【図５】
2020135982.tif 000007
【図６】
2020135982.tif 000008
【図７】
2020135982.tif 000009
【図８】
2020135982.tif 000010
【図９】
2020135982.tif 000011
【図１０】
2020135982.tif 000012